(57)【要約】【課題】消毒液の無駄な消費を抑えられ、簡便な操作で使用が可能であり、患者の皮膚に万遍に塗布しやすい消毒液塗布器具を提供する。【解決手段】消毒液塗布器具１は、開口を有し、消毒液が充填される本体部材１０と、本体部材１０の開口部に嵌合して装着される蓋部材２０と、蓋部材２０に接合され、患者の皮膚に接触して消毒液を塗布する塗布部材３０と、を備える。蓋部材２０は有底筒状であり、蓋部材２０の底部に消毒液が通過して塗布部材３０に通ずる複数の孔を有する。そして、蓋部材２０の底部の周縁部と塗布部材３０とが溶着により接合して蓋部材２０と塗布部材３０が一体化しているとともに、複数の孔の周囲は蓋部材２０と塗布部材３０とが接合しておらず、複数の孔を通じて塗布部材３０への消毒液の浸透が促される。【選択図】図１
0003207454.tif 000002
【実用新案登録請求の範囲】
【請求項１】
開口を有し、消毒液が充填される本体部材と、
前記本体部材の開口部に嵌合して装着される蓋部材と、
前記蓋部材に接合され、患者の皮膚に接触して前記消毒液を塗布する塗布部材と、を備え、
前記蓋部材は有底筒状であり、前記蓋部材の底部に前記消毒液が通過して前記塗布部材に通ずる複数の孔を有し、
前記蓋部材の底部の周縁部と前記塗布部材とが溶着により接合して前記蓋部材と前記塗布部材が一体化しているとともに、前記複数の孔の周囲は前記蓋部材と前記塗布部材とが接合しておらず、前記複数の孔を通じて前記塗布部材への前記消毒液の浸透が促される、
ことを特徴とする消毒液塗布器具。
【請求項２】
前記蓋部材の底部の中央部分が前記塗布部材に接合している、
ことを特徴とする請求項１に記載の消毒液塗布器具。
【請求項３】
前記本体部材は、手術用手袋が前記蓋部材の縁に接触することを防止する接触防止部を有する、
ことを特徴とする請求項１又は２に記載の消毒液塗布器具。
【請求項４】
前記接触防止部は、前記本体部材から前記蓋部材の外径以上に突出している、
ことを特徴とする請求項３に記載の消毒液塗布器具。
【請求項５】
前記塗布部材がポリエチレン製又はポリウレタン製の化粧用スポンジから構成されている、
ことを特徴とする請求項１乃至４のいずれか一項に記載の消毒液塗布器具。
【請求項６】
前記塗布部材には、前記蓋部材の前記孔に対応する位置に貫通孔が形成されており、
前記貫通孔が前記塗布部材の膨張により塞がれている、
ことを特徴とする請求項１乃至５に記載の消毒液塗布器具。
【請求項７】
前記本体部材の一部が他の部位の厚みより薄いポンプ部を備える、
ことを特徴とする請求項１乃至６のいずれか一項に記載の消毒液塗布器具。
【請求項８】
前記消毒液が充填された状態で前記本体部材の開口を密閉する密閉部材と、
前記密閉部材に孔を空ける穿孔部材と、を備え、
前記穿孔部材は前記蓋部材の底部から前記塗布部材が配置された反対側へと突出しており、
前記蓋部材と前記本体部材が嵌合した際に、前記穿孔部材が前記密閉部材に孔を開け、前記消毒液が前記塗布部材へ流れる、
ことを特徴とする請求項１乃至７のいずれか１項に記載の消毒液塗布器具。
【考案の詳細な説明】
【技術分野】
【０００１】
本考案は、消毒液塗布器具に関する。
【背景技術】
【０００２】
手術や外科的処置においては、創の汚染や細菌感染を防止するため、まず、患者の切開する部位周辺の消毒が行われる。例えば、開胸術等では、胸部から腹部にかけて全域を消毒する。現状、消毒は以下のようにして行われている。まず、綿球の入ったトレイに消毒液を入れ、鉗子等で綿球を把持して取り出し、消毒液の浸透した綿球で患者の皮膚に塗布し、消毒する。
【０００３】
このような消毒手法においては、患者に塗布するにつれて綿球等から消毒液がなくなるので、その都度、綿球等を消毒液に浸漬させなければならず、消毒に時間と手間がかかっていた。また、綿球等から徐々に消毒液が出ていくので、かすれ等、塗りムラが生じる。このため、どこまで消毒されているか把握し難く、消毒が不十分な部位が生じるおそれもあった。更には、トレイに過剰に消毒液を入れて準備していることから、使用されなかった消毒液は再利用できないとともに、どれ位の消毒液が必要であったか把握することもできず、消毒液が無駄に消費されてしまっていた。
【０００４】
このようなことから、連続的に消毒液を塗布可能な塗布器具が提案されている（特許文献１）。
【先行技術文献】
【特許文献】
【０００５】
【特許文献１】登録実用新案第３１９９４３６号公報
【考案の概要】
【考案が解決しようとする課題】
【０００６】
特許文献１の塗布器具では、塗布部材であるスポンジの厚みが大きくなる。即ち、スポンジの体積が大きく、スポンジに留まる消毒液の量が多くなるとともに、消毒液の流出量の調整が難しく、塗布し辛くなる。また、ねじ式の蓋であることから、使用者が煩わしく感じてしまう。また、パーツ点数がやや多いことから、製造コストも高くなってしまう。
【０００７】
本考案は、上記事項に鑑みてなされたものであり、その目的とするところは、消毒液の無駄な消費を抑えられ、簡便な操作で使用が可能であり、患者の皮膚に満遍に塗布しやすく、製造コストも低い消毒液塗布器具を提供することにある。
【課題を解決するための手段】
【０００８】
本考案に係る消毒液塗布器具は、
開口を有し、消毒液が充填される本体部材と、
前記本体部材の開口部に嵌合して装着される蓋部材と、
前記蓋部材に接合され、患者の皮膚に接触して前記消毒液を塗布する塗布部材と、を備え、
前記蓋部材は有底筒状であり、前記蓋部材の底部に前記消毒液が通過して前記塗布部材に通ずる複数の孔を有し、
前記蓋部材の底部の周縁部と前記塗布部材とが溶着により接合して前記蓋部材と前記塗布部材が一体化しているとともに、前記複数の孔の周囲は前記蓋部材と前記塗布部材とが接合しておらず、前記複数の孔を通じて前記塗布部材への前記消毒液の浸透が促される、
ことを特徴とする。
【０００９】
また、前記蓋部材の底部の中央部分が前記塗布部材に接合していることが好ましい。
【００１０】
また、前記本体部材は、手術用手袋が前記蓋部材の縁に接触することを防止する接触防止部を有することが好ましい。
【００１１】
また、前記接触防止部は、前記本体部材から前記蓋部材の外径以上に突出していることが好ましい。
【００１２】
また、前記塗布部材がポリエチレン製又はポリウレタン製の化粧用スポンジから構成されていることが好ましい。
【００１３】
また、前記塗布部材には、前記蓋部材の前記孔に対応する位置に貫通孔が形成されており、
前記貫通孔は、前記塗布部材の膨張により塞がれていることが好ましい。
【００１４】
また、前記本体部材の一部が他の部位の厚みより薄いポンプ部を備えることが好ましい。
【００１５】
前記消毒液が充填された状態で前記本体部材の開口を密閉する密閉部材と、
前記密閉部材に孔を空ける穿孔部材と、を備え、
前記穿孔部材は前記蓋部材の底部から前記塗布部材が配置された反対側へと突出しており、
前記蓋部材と前記本体部材が嵌合した際に、前記穿孔部材が前記密閉部材に孔を開け、前記消毒液が前記塗布部材へ流れるように構成されていてもよい。
【考案の効果】
【００１６】
本考案に係る消毒液塗布器具は、消毒液の無駄な消費が抑えられるとともに、簡便な操作で患者の皮膚に万遍に塗布できる。
【図面の簡単な説明】
【００１７】
【図１】消毒液塗布器具の斜視図である。
【図２】図１のＡ−Ａ’断面図である。
【図３】図１のＢ−Ｂ’断面図である。
【図４】蓋部材の斜視図である。
【図５】図５（Ａ）、（Ｂ）は、蓋部材に塗布部材を接合する様子を示す断面図である。
【図６】本体部材に塗布部材を取り付ける様子を示す斜視図である。
【図７】皮膚に消毒液を塗布している様子を示す消毒液塗布器具の断面図である。
【図８】皮膚に消毒液を塗布している様子を示す図である。
【図９】他の形態に係る消毒液塗布器具の断面図である。
【図１０】他の形態に係る消毒液塗布器具の斜視図である。
【図１１】他の蓋部材の斜視図である。
【図１２】蓋部材を本体部材に取り付けた状態を示す断面図である。
【図１３】他の蓋部材の斜視図である。
【考案を実施するための形態】
【００１８】
（実施の形態１）
実施の形態１に係る消毒液塗布器具１は、図１、２に示すように、本体部材１０、蓋部材２０、塗布部材３０を備える。
【００１９】
本体部材１０は、一方が開口した有底の筒形状をしている。本体部材１０の開口部の外周面には、実質的に全周に渡って突出した本体嵌合部１１を有している。また、本体部材１０は、消毒薬の充填が容易になるように、また、手に持って塗布しやすいように、開口部側の径が大きくロート状に形成されている。
【００２０】
本体部材１０は、手で握って押しつぶすことが可能なポリプロピレン、ポリエチレン等の軟性樹脂素材から形成されている。また、本体部材１０は、充填される消毒液を視認できるよう、無色透明或いは有色透明な透光性を有する素材から形成されている。
【００２１】
また、本体部材１０には、接触防止部１２を有している。接触防止部１２は、使用者の手袋が蓋部材２０の縁に接触して破損することを防止する機能を果たす。また、接触防止部１２は、消毒液塗布器具１を持った際の滑り止めとしても機能する。
【００２２】
また、本体部材１０の側面には、図１〜図３に示すように、平坦状で、他の部位の厚みよりも薄く形成されたポンプ部１４を有している。
【００２３】
また、本体部材１０の側面のポンプ部１４には、充填された消毒液の容量を視認できるよう目盛り１３が付されている。目盛り１３は、ポンプ部１４から凸状に盛り上がっている。なお、ポンプ部１４以外の本体部材１０の湾曲した側面部分には、凸状の目盛り１３は設けられていない。ポンプ部１４以外に凸状の目盛り１３があると、本体部材１０の側面の補強構造となり、本体部材１０の変形に支障をきたすためである。
【００２４】
蓋部材２０は、図２、図４に示すように、有底筒状の部材である。蓋部材２０の筒部２２の内周面には、実質的に全周に渡って筒部２２の内周面から突出する蓋嵌合部２３を有している。蓋嵌合部２３は、本体部材１０の開口部の本体嵌合部１１と嵌合する。なお、蓋嵌合部２３は、一部が切り欠かれていてもよい。これにより、蓋部材２０を本体部材１０により容易に嵌めることが可能である。また、蓋部材２０の底部２１は周囲から中心部に向けて凸状に湾曲して形成されている。
【００２５】
蓋部材２０の底部２１には消毒液が通過可能な複数の孔２４を有している。ここでは、孔２４は、円形状のものが同心円上に８個配置されているが、消毒液を通過可能な形態であれば、どのような形状、個数、配置であってもよい。
【００２６】
蓋部材２０の底部２１の周縁部は、筒部２２に向けて末広がりとなるテーパー状に形成されており、このテーパー状に形成されている箇所が塗布部材３０との接合部２５ａとなる。また、蓋部材２０の底部２１の中央部分にも接合部２５ｂを備えている。中央部分の接合部２５ｂは、金型を用いた蓋部材２０の成形時において、金型内に樹脂を注入する部位であり、凸状に形成された箇所を利用することができる。また、中央部の接合部２５ｂの突出高さは、塗布部材３０と溶着する前において、０．５〜２ｍｍ程度であることが好ましい。
【００２７】
そして、蓋部材２０と塗布部材３０とは、接合部２５ａ、２５ｂの箇所で接合しており、その他の箇所は接合していない。このため、蓋部材２０の孔２４の周辺と塗布部材３０とは接合していない。そして、接合部２５ａ、２５ｂの箇所を除き、蓋部材２０の底部２１と塗布部材３０との間には隙間がある。
【００２８】
塗布部材３０は、患者の皮膚に接触して、本体部材１０に充填された消毒液を患者に塗布する機能を有する。塗布部材３０は、消毒液が吸液されやすいとともに、患者に消毒液を塗布する際に流出しやすい特性が要求される。また、患者の皮膚に接する部位であることから、肌触りがよいことが要求される。このような素材として、例えば、ポリウレタン製やポリエチレン製等のスポンジやフェルトのほか、不織布などが挙げられる。また、塗布部材３０は、患者の皮膚への低侵襲である化粧用スポンジであることが好ましい。
【００２９】
塗布部材３０の縁部分は、蓋部材２０側に反り返った保護部３１として機能する。保護部３１は、消毒液の塗布時において、方向転換する際に、蓋部材２０が患者の皮膚に接触しないように、また、塗布部材３０がくるまったり、蓋部材２０から剥がれたりしないようにする部位として機能する。
【００３０】
また、塗布部材３０には、蓋部材２０と接合された際に、蓋部材２０の孔２４に応じた箇所に、貫通孔３２が形成されている。貫通孔３２は、形成時に１〜３ｍｍ程度の径で型抜きにより形成され、形成後は塗布部材３０の膨張力により塞がった状態である。
【００３１】
上記の蓋部材２０と塗布部材３０との一体化は、例えば、以下のようにして行うことができる。図５（Ａ）に示すように、凸状の雄型４１及び凹状の雌型４３を備えた溶着装置の雌型４３に円板状の塗布部材３０を配置する。また、蓋部材２０に雄型４１を挿入する。
【００３２】
そして、図５（Ｂ）に示すように雄型４１を雌型４３へと押し込んでいくと、蓋部材２０、塗布部材３０が雌型４３へ押し込まれる。
【００３３】
雄型４１の中央部は凸状に形成されており、この内部にヒーター４２が設置されている。また、雄型４１の外周部にもヒーター４２が設置されている。雄型４１による押圧、及び、ヒーター４２による加熱によって、蓋部材２０の底部２１の中央部と周縁部とが塗布部材３０に溶着される。このようにして、蓋部材２０と塗布部材３０とが一体化したパーツを製造することができる。
【００３４】
なお、上記では熱溶着により一体化を行う手法について説明したが、超音波溶着など他の手法で蓋部材２０の底部２１の中央部、周縁部と塗布部材３０を接合してもよい。
【００３５】
また、塗布部材３０の貫通孔３２の形成は、蓋部材２０と接合する前であっても、蓋部材２０と接合した後であってもよい。
【００３６】
上述した本体部材１０、蓋部材２０及び塗布部材３０は滅菌処理が施されている。このため、消毒液塗布器具１を用いて患者に消毒液を塗布しても、消毒液塗布器具１によって患者の創の汚染や細菌感染がおこることが防止される。
【００３７】
続いて、消毒液塗布器具１の使用方法について説明する。図６に示すように、まず、使用者は本体部材１０の開口部から消毒液を充填する。そして、使用者は塗布部材３０が接合されている蓋部材２０を本体部材１０の開口部に押し込む。蓋部材２０の蓋嵌合部２３と本体部材１０の本体嵌合部１１とが嵌合することにより、蓋部材２０が本体部材１０に固定される。
【００３８】
蓋部材２０を本体部材１０の開口部に押し込むだけで蓋部材２０が本体部材１０に固定されるため、消毒液塗布器具１を簡便に組立できるので、操作に煩わしさがなく、時間もかからない。また、接触防止部１２が本体部材１０の側面から張り出しているため、使用者が消毒液塗布器具１を持ち上げる際に滑り止めとなり、使用者が消毒液塗布器具１を落としてしまうことが抑えられる。
【００３９】
そして、使用者が本体部材１０を把持し、塗布部材３０を下方に向け、患者の皮膚ＨＳに塗布部材３０を接触させる。なお、塗布部材３０を下方に向けて患者の皮膚ＨＳに接触させる間、塗布部材３０の貫通孔３２は塗布部材３０の膨張により塞がれていることから、貫通孔３２から消毒液が漏れることはない。
【００４０】
そして、図７に示すように、本体部材１０内の消毒液が孔２４を通じて塗布部材３０に浸透するとともに、消毒液が患者の皮膚ＨＳに接触している面から排出され、消毒液が患者の皮膚ＨＳに塗布される。
【００４１】
上述したように、孔２４周辺では、塗布部材３０と蓋部材２０の底部２１とが接合されておらず、塗布部材３０と蓋部材２０の底部２１との間に隙間があるため、孔２４を通過した消毒液は塗布部材３０中を放射状に拡散するように浸透する。したがって、消毒液が塗布部材３０に速やかに吸液される。これにより、塗布により塗布部材３０から消毒液が排液されても、滞りなく塗布部材３０には消毒液が吸液されるので、塗布をしている際に、消毒液の供給が遅れて擦れるような事態が抑えられる。
【００４２】
更には、塗布部材３０には貫通孔３２が形成されているので、塗布部材３０の膨張力で塞がれていた貫通孔３２から、ポンプ部１４を押すことによる消毒液の圧で、噴出するように消毒液が排出される。
【００４３】
このように、塗布部材３０は消毒液の吸収及び排出に優れるため、本体部材１０内に充填されている消毒液が滞りなく患者に塗布される。更には、本体部材１０が軟質樹脂等で形成されているとともに、ポンプ部１４の厚みが薄く形成されているので、使用者が握ると、その力によって容易に本体部材１０の内容積が小さくなるように変形する。本体部材１０の変形によって内部圧力が高まるため、本体部材１０内の消毒液の排出を更に促進させることができる。消毒液を滞りなく多量に排出することができるため、患者の皮膚を洗い流すように消毒することができる。このように患者の皮膚を洗い流すことにより、毛根の内部にまで消毒液が入り込み、毛根内部の雑菌を死滅させることができる。また、患者の皮膚ＨＳは肋骨やへそ周辺など凹凸が大きい箇所があるが、消毒液塗布器具１では、このような箇所においても多量に消毒液が排出されるので、皮膚ＨＳの凹部にも消毒液を行き渡らせることができる。また、作業者は片手で消毒液塗布器具１を持って塗布することができるので、作業性にも優れる。
【００４４】
なお、使用者が消毒液を患者に塗布する際に、消毒液塗布器具１を往復動するので、図８に示すように、塗布部材３０もその都度向きを変えることになる。塗布部材３０は、蓋部材２０の底部２１の周縁部と接合し、塗布部材３０の周縁が保護部３１として本体部材１０側へ反り返っていることから、塗布方向が変わる際に、塗布部材３０がくるまったり、塗布部材３０が蓋部材２０から剥がれてしまったりすることが抑えられ、消毒液のスムーズな塗布を実現している。それゆえ、蓋部材２０が露出して蓋部材２０が患者の皮膚ＨＳに接触して皮膚ＨＳを傷つけることもない。
【００４５】
また、塗布部材３０の周縁の保護部３１により、塗布の最中に蓋部材２０が患者の皮膚ＨＳに接触して皮膚を傷つけることも抑えられる。
【００４６】
また、塗布部材３０が蓋部材２０の底部２１に、接合部２５ａ、２５ｂを介して溶着により接合された形態であるため、塗布部材３０の過度の厚みは不要である。塗布部材３０の厚みが薄く体積が小さいことから、塗布部材３０に留まる消毒液が少なくなるので、消毒液の無駄な消費も抑えられる。なお、塗布部材３０の厚みは、患者が不快に感じないように、また、使用者が塗布作業を行いやすい厚みに設定され、３〜１０ｍｍ程度であることが好ましい。
【００４７】
更には、本体部材１０は接触防止部１２を備えているので、使用者の手、指が蓋部材２０に接触することが防止される。使用者は手術用手袋を装着して使用するが、手術用手袋は使用者の繊細な手の感覚を損なわないように非常に薄いことから、耐久性が弱く、孔が開きやすい、裂けやすいといった難点がある。仮に、蓋部材２０の筒部２２の縁にバリが残っていた場合、手術用手袋がこのバリに接触すると、手術用手袋に孔が開いたり裂けたりするおそれがある。
【００４８】
消毒液塗布器具１では、本体部材１０に接触防止部１２を有していることから、使用者が本体部材１０を把持して使用している最中に、使用者が装着している手術用手袋が蓋部材２０の縁に接触することが抑えられる。
【００４９】
また、消毒液塗布器具１は、種々の消毒液を充填して使用することができるので、汎用性に優れる。
【００５０】
また、消毒液塗布器具１はパーツ点数が少なく簡素な構成であり、低コストで製造できるため、安価に提供することができる。
【００５１】
なお、ポンプ部１４が本体部材１０の側面に平坦に形成された例について説明したが、図９に示すように、本体部材１０の底面に形成されていてもよい。ポンプ部１４は平坦であってもよいが、図９に示すように、ポンプ部１４は本体部材１０の外側に向けて凸状に湾曲して形成されていてもよい。この場合、消毒液を本体部材１０に充填する際に、台等に載置できるよう、本体部材１０の側面がポンプ部１４よりも突出するよう形成されているとよい。
【００５２】
（実施の形態２）
実施の形態２に係る消毒液塗布器具２は、図１０、図１１に示すように、本体部材１０は密閉部材１５を備えている。また、蓋部材２０は穿孔部材２６を備えている。その他については、上述した実施の形態１と同様である。
【００５３】
密閉部材１５は、本体部材１０の開口部に貼り付いて本体部材１０内を密閉し、本体部材１０に充填された消毒液の漏出を防止している。密閉部材１５は、アルミシートや樹脂シートなど消毒液の漏出を防止可能な素材であり、且つ、後述する穿孔部材２６で穿孔され得る素材から構成される。
【００５４】
穿孔部材２６は、密閉部材１５に孔を空ける機能を果たす。穿孔部材２６は、塗布部材３０が接合される蓋部材２０の底部２１の反対側の面から突出するように配置されている。ここでは、穿孔部材２６は、蓋部材２０の底部２１の中央部分に配置されて、また、三角形の板状体が三つ結合した形状をしている。
【００５５】
図１２に示すように、蓋部材２０を本体部材１０に嵌め込むと、穿孔部材２６が密閉部材１５に孔を空ける。これにより、本体部材１０に充填されている消毒液は、密閉部材１５に空けられた孔、蓋部材２０の底部２１の孔２４を通じ、塗布部材３０へ流れる。
【００５６】
穿孔部材２６は、消毒液が蓋部材２０の孔２４を通じて塗布部材３０へと流れるように、密閉部材１５に穿孔し得る形態であれば、上記の形態に限られない。例えば、図１３に示すように、蓋部材２０の底部２１の孔２４の周囲を囲んで突出し、テーパー状にカットされた筒状の穿孔部材２６などでもよい。
【符号の説明】
【００５７】
１    消毒液塗布器具
２    消毒液塗布器具
１０    本体部材
１１    本体嵌合部
１２    接触防止部
１３    目盛り
１４    ポンプ部
１５    密閉部材
２０    蓋部材
２１    底部
２２    筒部
２３    蓋嵌合部
２４    孔
２５ａ  接合部
２５ｂ  接合部
２６    穿孔部材
３０    塗布部材
３１    保護部
３２    貫通孔
４１    雄型
４２    ヒーター
４３    雌型
ＨＳ    皮膚
【図１】
0003207454.tif 000003
【図２】
0003207454.tif 000004
【図３】
0003207454.tif 000005
【図４】
0003207454.tif 000006
【図５】
0003207454.tif 000007
【図６】
0003207454.tif 000008
【図７】
0003207454.tif 000009
【図８】
0003207454.tif 000010
【図９】
0003207454.tif 000011
【図１０】
0003207454.tif 000012
【図１１】
0003207454.tif 000013
【図１２】
0003207454.tif 000014
【図１３】
0003207454.tif 000015